(57)【要約】    【課題】      マルチメディアコンテンツの共有化をよりリアルタイムで行うことができる情報通信システム、およびホームサーバ装置を提供すること。    【解決手段】  移動端末装置１０１においては、コンテンツ情報生成部１１１がコンテンツ情報を送受信制御部１１２に送出し、この送受信制御部１１２がコンテンツ情報のホームサーバ装置１０６に対する送信を制御する。ホームサーバ装置１０６においては、制御部１５４にて転送先である移動端末装置１０１又は家庭用電化装置などに関する情報が管理され、制御部１５４にてコンテンツ情報の転送が制御される。そして、転送先である移動端末装置１０１においては、転送されるコンテンツ情報が再生部１１６にて再生される。  【選択図】      図１
2006053673.tif 000002
【特許請求の範囲】
【請求項１】
第１の移動端末装置と、前記第１の移動端末装置と通信を行う第２の移動端末装置と、前記第１の移動端末装置と前記第２の移動端末装置との間に介在するホームサーバ装置とを有する情報通信システムであって、
前記第１の移動端末装置は、
マルチメディアコンテンツ情報を生成するコンテンツ情報生成手段と、
前記マルチメディアコンテンツ情報を送信する送信制御手段と、
を具備し、
前記ホームサーバ装置は、
前記マルチメディアコンテンツ情報の転送先に関する情報を管理する管理手段と、
前記マルチメディアコンテンツ情報の転送を制御する制御手段と、
を具備し、
前記第２の移動端末装置は、
前記ホームサーバ装置から転送される前記マルチメディアコンテンツ情報を再生する再生手段を具備することを特徴とする情報通信システム。
【請求項２】
前記ホームサーバ装置は、前記マルチメディアコンテンツ情報を記憶する記憶手段をさらに具備し、
前記制御手段は、
転送可能確認信号の送信を制御し、かつ、前記転送可能確認信号に対する応答により前記第２の移動端末装置から前記マルチメディアコンテンツ情報の転送を許可されるときに前記記憶手段に記憶する前記マルチメディアコンテンツ情報についての転送を制御し、
前記第２の移動端末装置は、
前記転送可能要求に対して応答する応答手段を具備することを特徴とする請求項１記載の情報通信システム。
【請求項３】
前記転送先の前記第２の移動端末装置ごとに前記マルチメディアコンテンツ情報のデータ形式を加工する加工手段を具備し、
前記制御手段は加工した前記コンテンツ情報の転送を制御することを特徴とする請求項１又は請求項２に記載の情報通信システム。
【請求項４】
前記ホームサーバ装置は、
前記第２の移動端末装置の位置を検出して端末位置情報を生成する検出手段と、
前記端末位置情報が前記ホームサーバ装置の近傍にあることを示す場合における当該第２の移動端末装置を管理する端末管理手段と、
前記端末位置情報に応じて前記第２の移動端末装置との間の仮想リンクを確立するリンク確立制御手段と、
を具備し、
前記リンク確立制御手段は、
前記端末管理手段にて前記第２の移動端末装置が管理されていないときにはインターネットシステムを介して前記第２の移動端末装置との前記仮想リンクを確立することを特徴とする請求項１から請求項３のいずれかに記載の情報通信システム。
【請求項５】
前記リンク確立制御手段は、
複数の前記第２の移動端末装置との間に前記仮想リンクを確立することを特徴とする請求項４記載の情報通信システム。
【請求項６】
マルチメディアコンテンツ情報の転送先に関する情報を管理する管理手段と、
前記マルチメディアコンテンツ情報を記憶する記憶手段と、
前記マルチメディアコンテンツ情報の転送を制御する制御手段と、
を具備し、
前記制御手段は、転送可能確認信号の送信を制御し、かつ、前記転送可能確認信号に対する応答により移動端末装置から前記マルチメディアコンテンツ情報の転送を許可されるときに前記記憶手段に記憶する前記マルチメディアコンテンツ情報についての転送を制御することを特徴とするホームサーバ装置。
【請求項７】
前記転送先の前記移動端末装置ごとに前記マルチメディアコンテンツ情報のデータ形式を加工する加工手段を具備し、
前記制御手段は加工した前記コンテンツ情報の転送を制御することを特徴とする請求項６記載のホームサーバ装置。
【請求項８】
前記移動端末装置の位置を検出して端末位置情報を生成する検出手段と、
前記端末位置情報が自装置の近傍にあることを示す場合における当該移動端末装置を管理する端末管理手段と、
前記位置に応じて前記移動端末装置との間の仮想リンクを確立するリンク確立制御手段と、
を具備し、
前記リンク確立制御手段は、
前記端末管理手段にて前記移動端末装置が管理されていないときにはインターネットシステムを介して前記移動端末装置との仮想リンクを確立することを特徴とする請求項６又は請求項７記載のホームサーバ装置。
【請求項９】
前記リンク確立制御手段は、
複数の前記移動端末装置との間に前記仮想リンクを確立することを特徴とする請求項８記載のホームサーバ装置。
【発明の詳細な説明】
【技術分野】
【０００１】
本発明は、情報通信システムおよびホームサーバ装置に関し、特にコンテンツ情報の共有化をよりリアルタイムで行うことができる情報通信システム、およびホームサーバ装置に関する。
【背景技術】
【０００２】
特許文献１に示すように従来の情報通信システムにおいては、情報（デジタルカメラ写真、メッセージ、スケジュールなど）の共有化を図るためにインターネット上のサーバ装置にその情報を格納し、情報を共有する各メンバーの通信端末装置はそのサーバ装置に各々アクセスすることにより情報の共有化を図っている。
【特許文献１】特開２００１−２６５７１８号公報
【発明の開示】
【発明が解決しようとする課題】
【０００３】
しかしながら、従来の情報通信システムにおいては、情報の共有化を図る各メンバーの通信端末装置はサーバ装置に各々異なる時間にアクセスするため、メンバーの通信端末装置間でリアルタイムに情報を共有することができない。また、動画、画像、音声などを含むマルチメディアコンテンツの遣り取りが可能となった昨今においては、そのコンテンツの内容によってはリアルタイム性の要求が強くなる。
【０００４】
本発明は、かかる点に鑑みてなされたものであり、マルチメディアコンテンツの共有化をよりリアルタイムで行うことができる情報通信システム、およびホームサーバ装置を提供することを目的とする。
【課題を解決するための手段】
【０００５】
本発明の実施の形態に係る情報通信システムは、第１の移動端末装置と、前記第１の移動端末装置と通信を行う第２の移動端末装置と、前記第１の移動端末装置と前記第２の移動端末装置との間に介在するホームサーバ装置とを有する情報通信システムであって、前記第１の移動端末装置が、マルチメディアコンテンツ情報を生成するコンテンツ情報生成手段と、前記マルチメディアコンテンツ情報を送信する送信制御手段と、を具備し、前記ホームサーバ装置が、前記マルチメディアコンテンツ情報の転送先に関する情報を管理する管理手段と、前記マルチメディアコンテンツ情報の転送を制御する制御手段と、を具備し、前記第２の移動端末装置が、前記ホームサーバ装置から転送される前記マルチメディアコンテンツ情報を再生する再生手段を具備する構成を採る。
【０００６】
本発明の実施の形態に係るホームサーバ装置は、マルチメディアコンテンツ情報の転送先に関する情報を管理する管理手段と、前記マルチメディアコンテンツ情報を記憶する記憶手段と、前記マルチメディアコンテンツ情報の転送を制御する制御手段と、を具備し、前記制御手段は、転送可能確認信号の送信を制御し、かつ、前記転送可能確認信号に対する応答により移動端末装置から前記マルチメディアコンテンツ情報の転送を許可されるときに前記記憶手段に記憶する前記マルチメディアコンテンツ情報についての転送を制御する構成を採る。
【発明の効果】
【０００７】
本発明によれば、マルチメディアコンテンツの共有化をよりリアルタイムで行うことができる情報通信システム、およびホームサーバ装置を提供することができる。
【発明を実施するための最良の形態】
【０００８】
本発明の骨子は、ホームサーバ装置が通信端末装置から送信されてくるコンテンツ情報を転送先の通信端末装置に向けて転送することにより、コンテンツの共有化をよりリアルタイムで行うことである。
【０００９】
以下、本発明の一実施の形態について図面を参照して詳細に説明する。
【００１０】
まず、本実施の形態に係る情報通信システムの構成について、図１を参照して説明する。
【００１１】
図１に示すように情報通信システム１０は、移動端末装置１０１−１〜３と、基地局装置１０２−１、２と、公衆無線ネットワークシステム１０３と、インターネットシステム１０４と、ホームゲートウェイ装置１０５と、ホームサーバ装置１０６と、ホーム無線基地局装置１０７と、家庭内電化装置の１つとしてのテレビ１０８とを備える。
【００１２】
移動端末装置１０１−１は、マルチメディアコンテンツ情報、例えば自装置に備えた撮像機能により撮像した映像などを基地局装置１０２−１、公衆無線ネットワークシステム１０３、インターネットシステム１０４、およびホームゲートウェイ装置１０５を介してホームサーバ装置１０６に送信する。
【００１３】
ホームサーバ装置１０６は、マルチメディアコンテンツ情報を受け取ると、このマルチメディアコンテンツ情報を転送すべき移動端末装置１０１−２、移動端末装置１０１−３およびテレビ１０８に対しストリーミングデータとして転送する。具体的には、ホーム無線基地局装置１０７が管理するエリア内にある移動端末装置１０１−２に対しては、ホームサーバ装置１０６は、ホーム無線基地局装置１０７を介してマルチメディアコンテンツ情報を転送する。また、ホーム無線基地局装置１０７が管理していない移動端末装置１０１−３に対しては、ホームサーバ装置１０６は、ホームゲートウェイ装置１０５、インターネットシステム１０４、公衆無線ネットワークシステム１０３、および基地局装置１０２−２を介してマルチメディアコンテンツ情報を転送する。また、ホームネットワークに接続されているテレビ１０８に対しては、ホームサーバ装置１０６は有線によりマルチメディアコンテンツ情報を転送する。
【００１４】
図２に示すように移動端末装置１０１は、コンテンツ情報生成部１１１と、送受信制御部１１２と、記憶部１１３と、送受信部１１４と、応答制御部１１５と、再生部１１６と、表示部１１７とを備える。
【００１５】
コンテンツ情報生成部１１１はコンテンツ情報にファイル形式の変換又はエンコード、デコードなどを施して、送受信制御部１１２および記憶部１１３に送出する。
【００１６】
送受信制御部１１２はコンテンツ情報生成部１１１からコンテンツ情報を受け取り、送信先を設定する。そして、このコンテンツ情報は、送受信部１１４を介して設定された送信先、ここではホームサーバ装置１０６に送信される。
【００１７】
送受信部１１４は上記のようにコンテンツ情報を送信する。また、送受信部１１４はホームサーバ装置１０６からの転送可能確認信号、すなわちホームサーバ装置１０６が移動端末装置１０１に対してコンテンツ情報を転送してもよいか否かを確認するための信号と、他の移動端末装置１０１からホームサーバ装置１０６を介して送られてくるコンテンツ情報とを受信し送受信制御部１１２に出力する。送受信制御部１１２は、送受信部１１４から受け取る転送可能確認信号を応答制御部１１５に送出し、また、送受信部１１４から受け取るコンテンツ情報をコンテンツ情報生成部１１１に送出する。
【００１８】
応答制御部１１５は転送可能確認信号を受け取ると、ホームサーバ装置１０６からコンテンツ情報の転送を受けてもよいか否かを判定する。そして、判定内容が肯定、すなわち転送を受けてもよいことを示すときには、応答制御部１１５は転送許可信号を生成する。一方、判定内容が否定であるときには、応答制御部１１５は転送不許可信号を生成する。この応答制御部１１５により生成された転送許可信号および転送不許可信号は、送受信制御部１１２および送受信部１１４を介してホームサーバ装置１０６に送信される。
【００１９】
コンテンツ情報生成部１１１は送受信制御部１１２から受け取るコンテンツ情報を再生に合わせたデータ形式で再生部１１６に出力する。なお、コンテンツ情報生成部１１１は送受信制御部１１２からのコンテンツ情報を一旦記憶部１１３に記憶させ、再生部１１６の再生に合わせて記憶部１１３からコンテンツ情報を読み出して再生部１１６に出力するようにしてもよい。
【００２０】
再生部１１６は、コンテンツ情報生成部１１１からのコンテンツ情報を表示情報として表示部１１７に出力する。表示部１１７は、再生部１１６からの表示情報を表示する。
【００２１】
図３に示すようにホームサーバ装置１０６は、送受信部１５１と、データ処理部１５２と、記憶部１５３と、制御部１５４とを備える。
【００２２】
送受信部１５１は移動端末装置１０１からコンテンツ情報を受信し、データ処理部１５２に送出する。
【００２３】
データ処理部１５２は送受信部１５１からのコンテンツ情報にデータ形式の変換処理などを施して記憶部１５３に出力して記憶させる。また、データ処理部１５２は送受信部１５１からコンテンツ情報を受け取ると、制御部１５４に対してコンテンツ受信通知信号を送出する。
【００２４】
制御部１５４はコンテンツ受信通知信号を受け取ると、コンテンツ情報を転送すべき移動端末装置１０１に関する情報と転送可能確認信号とをデータ処理部１５２を介して送受信部１５１に送出する。なお、制御部１５４は予め移動端末装置１０１の現在位置、具体的にはホームサーバ装置１０６の近傍にあるのか又は離れた位置にあるのかを検出している。
【００２５】
送受信部１５１は転送可能確認信号を転送すべき移動端末装置１０１に送出し、この転送可能確認信号に応答する移動端末装置１０１からの転送許可信号または転送不許可信号を受信する。
【００２６】
送受信部１５１にて受信された転送許可信号および転送不許可信号は、データ処理部１５２を介して制御部１５４に送出される。制御部１５４は転送許可信号を受け取ると、転送すべきコンテンツ情報を記憶部１５３から取得することを命じる命令信号と、転送許可信号を返送してきた移動端末装置１０１に関する情報とをデータ処理部１５２に送出する。
【００２７】
データ処理部１５２は記憶部１５３から取得するコンテンツ情報にデータ形式の変換などの加工を施し、加工後のコンテンツ情報と移動端末装置１０１に関する情報とを送受信部１５１に送出する。送受信部１５１は転送許可信号を返送してきた移動端末装置１０１に対して加工後のコンテンツ情報を送信する。
【００２８】
次いで、上述の移動端末装置１０１およびホームサーバ装置１０６についてより具体的に説明する。
【００２９】
図４に示すように移動端末装置１０１のコンテンツ情報生成部１１１は、ファイル処理部１２１と、エンコード／デコード部１２２とを有する。また、送受信制御部１１２は、送信先設定部１２５と、スイッチング／データ処理部１２６と、無線接続管理部１２７と、宅外アクセス制御部１２８と、端末情報管理部１２９とを有する。また、送受信部１１４は、公衆無線インタフェース部１３０と、ホーム無線インタフェース部１３１とを有する。
【００３０】
コンテンツ情報生成部１１１においては、撮像部１１８により撮像された映像などのデータが入力され、ファイル処理部１２１にてファイル形式の変換が施され又はエンコード／デコード部１２２にてエンコードが施され、送受信制御部１１２および記憶部１１３に送出される。
【００３１】
送受信制御部１１２においては、送信先設定部１２５にて設定される送信先の情報とコンテンツ情報とが送受信部１１４に送出される。スイッチング／データ処理部１２６は自装置がどのアクセスポイントにアクセスしてホームサーバ装置１０６にコンテンツ情報を送信するかによって、コンテンツ情報の出力先を公衆無線インタフェース部１３０又はホーム無線インタフェース部１３１に切り換える。具体的には、スイッチング／データ処理部１２６は、移動端末装置１０１がホーム無線基地局装置１０７をアクセスポイントとするときにはホーム無線インタフェース部１３１に切り換え、また基地局装置１０２をアクセスポイントにするときには公衆無線インタフェース部１３０に切り換える。
【００３２】
送受信制御部１１２における無線接続管理部１２７は公衆無線インタフェース部１３０およびホーム無線インタフェース部１３１の接続を管理する。また、宅外アクセス制御部１２８は公衆無線インタフェース部１３０を介してホームサーバ装置１０６に接続する場合にその接続を制御する。端末情報管理部１２９は移動端末装置１０１に関する情報を蓄積し、また管理する。
【００３３】
また送受信部１１４においては、ホームサーバ装置１０６からの転送可能確認信号がホーム無線基地局装置１０７により送信されるか又は基地局装置１０２を介して送信されるかにより、転送可能確認信号は公衆無線インタフェース部１３０又はホーム無線インタフェース部１３１により受信され、送受信制御部１１２を介して応答制御部１１５に送出される。また、送受信部１１４においては、他の移動端末装置１０１からホームサーバ装置１０６を介して送られてくるコンテンツ情報が受信される。このコンテンツ情報は、送受信制御部１１２を介してコンテンツ情報生成部１１１に送出される。
【００３４】
コンテンツ情報生成部１１１においては、送受信制御部１１２を介して入力されるコンテンツ情報は、ファイル処理部１２１およびエンコード／デコード部１２２にて再生に合わせたデータ形式にされ再生部１１６に送出される。
【００３５】
ここで、移動端末装置１０１において用いられるプロトコルスタックの一例を図５に示す。第１層（Ｌ１）および第２層（Ｌ２）には、移動端末装置１０１が公衆無線ネットワークシステムの基地局装置１０２およびホーム無線基地局装置１０７との間で通信を行うため、公衆無線用のプロトコルとホーム無線用のプロトコルが用意されている。また、第３層（ネットワーク層）および第４層（トランスポート層）には、ＴＣＰ／ＩＰまたはＵＤＰ／ＩＰが適用されている。第５層以上のアプリケーション層においては、基地局装置１０２との間での接続に関する宅外接続プロトコル、ホームネットワークシステム内のホーム無線基地局装置１０７との間での接続に関する自動検出プロトコル、コンテンツダウンロード／ストリーミングプロトコル、コーデック／ファイルフォーマット制御プロトコル、ブラウザ用のプロトコル、映像ビューワ用のプロトコル、および音楽プレーヤ用のプロトコルが用意されている。
【００３６】
図６に示すようにホームサーバ装置１０６の制御部１５４は、リンク確立制御部１６５とコンテンツ送信制御部１７０とを有する。さらにリンク確立制御部１６５は、端末接続制御部１６６と、端末情報管理部１６７と、端末検出管理部１６８とを有する。またコンテンツ送信制御部１７０は、転送許可不許可信号受信部１７１と、送信先制御部１７２と、コンテンツパラメータ制御部１７３とを有する。
【００３７】
データ処理部１５２においては、送受信部１５１から入力されるコンテンツ情報は、データ処置部１６１およびファイル処理部１６２にてデータ形式の変換処理などが施され、記憶部１５３に出力して記憶させる。また、データ処理部１５２は送受信部１５１からコンテンツ情報を受け取ると、制御部１５４に対してコンテンツ受信通知信号を送出する。
【００３８】
制御部１５４においては、リンク確立制御部１６５の端末接続制御部１６６の制御により、端末情報管理部１６７にて管理する移動端末装置１０１又は家庭用電化装置などに関する情報と転送可能確認信号とがデータ処理部１５２を介して送受信部１５１に送出される。なお、移動端末装置１０１および家庭用電化装置などに関する情報、例えばそれらの装置のＩＰアドレスなどの現在位置に関する情報は、端末検出管理部１６８により収集される。
【００３９】
送受信部１５１は転送可能確認信号を転送すべき移動端末装置１０１に送出し、この転送可能確認信号に応答する移動端末装置１０１からの転送許可信号または転送不許可信号を受信する。
【００４０】
送受信部１５１にて受信された転送許可信号または転送不許可信号は、データ処理部１５２を介して制御部１５４に送出される。
【００４１】
制御部１５４においては、コンテンツ送信制御部１７０の転送許可不許可信号受信部１７１にて転送許可信号または転送不許可信号が受信され、送信先制御部１７２に送出される。送信先制御部１７２は転送許可信号を受け取ると、その転送許可信号に含まれるその送信元の移動端末装置１０１または家庭用電化装置に関する情報を基に送信先に関する情報を生成する。そして、この送信先に関する情報と転送すべきコンテンツ情報を記憶部１５３から取得することを命じる命令信号とがデータ処理部１５２に送出される。また、コンテンツパラメータ制御部１７３の制御により、転送すべきコンテンツ情報の解像度、フレーム数、圧縮形式などのパラメータがデータ処理部１５２に送出される。
【００４２】
データ処理部１５２においては、記憶部１５３から取得されるコンテンツ情報が、制御部１７０から受け取ったパラメータを基にして、コンテンツ変換部１６３にてエンコードされ、ファイル処理部１６２およびデータ処置部１６１にてデータ形式の変換などの加工が施された後に、送受信部１５１に送出される。送受信部１５１は転送許可信号を返送してきた移動端末装置１０１に対して加工後のコンテンツ情報を送信する。これにより、転送先の装置の種類などに応じた最適のパラメータを準備しておけば、各送信先の装置に対して最適のデータ形式などでコンテンツ情報を送達することができる。
【００４３】
なお、上記説明においては、移動端末装置１０１の応答制御部１１５が転送可能確認信号を受け取ると、ホームサーバ装置１０６からコンテンツ情報の転送を受けてもよいか否かを判定するものとして説明したが、これに限らず応答制御部１１５の制御の基で移動端末装置１０１のユーザに対してコンテンツ情報の転送を受けるか否かの判断を仰ぎ、ユーザの判断に基づいた応答をホームサーバ装置１０６に対して返信するものとしてもよい。
【００４４】
また、移動端末装置１０１からホームサーバ装置１０６を介して他の移動端末装置１０１にコンテンツ情報を送信する方法としては、例えば次の２つの方法がある。１つの方法は、まず移動端末装置１０１がホームサーバ装置１０６との間にリンクを張ってコンテンツ情報を送信し、ホームサーバ装置１０６はコンテンツ情報を蓄積しながら他の移動端末装置１０１との間でのリンク確立を試みる。そして、リンク確立がなされ転送の許可を受けたときにホームサーバ装置１０６が他の移動端末装置１０１に対して蓄積しているコンテンツ情報を転送する。
【００４５】
もう１つの方法は、最初に移動端末装置１０１とホームサーバ装置１０６との間、およびホームサーバ装置１０６と他の移動端末装置１０１との間でリンクを確立する。そして、転送の許可を受けたときに、確立されているリンクを利用して移動端末装置１０１からホームサーバ装置１０６を介して他の移動端末装置１０１に対してコンテンツ情報の送信がなされる。なお、ホームサーバ装置１０６との間でリンクを確立し、コンテンツ情報の転送を受ける移動端末装置１０１の数は特に限定されない。すなわち、リンク確立制御部１６５は複数の装置との間にリンクを確立することができる。
【００４６】
また、コンテンツ情報の転送先の移動端末装置１０１のうちで他の移動端末装置１０１の再生タイミングから遅れるものがあるときには、ホームサーバ装置１０６が再生タイミングの遅れている移動端末装置１０１に対してコンテンツ情報を間引いて転送する機能を持たせることができる。こうすることで、再生タイミングの遅れている移動端末装置１０１は、間引かれたコンテンツ情報を再生することにより他の移動端末装置１０１との再生タイミングを同期させることができる。なお、間引かれたコンテンツ情報が転送されなくても、移動端末装置１０１に再生タイミングの同期がなされるまで再生を早送りする機能を持たせることにより、移動端末装置１０１の間で再生タイミングの同期が図られる。
【００４７】
本実施の形態によれば、移動端末装置１０１においては、コンテンツ情報生成部１１１がコンテンツ情報を送受信制御部１１２に送出し、この送受信制御部１１２がコンテンツ情報のホームサーバ装置１０６に対する送信を制御する。ホームサーバ装置１０６においては、制御部１５４の端末情報管理部１６７にて転送先である移動端末装置１０１又は家庭用電化装置などに関する情報が管理され、制御部１５４のコンテンツ送信制御部１７０にてコンテンツ情報の転送が制御される。そして、転送先である移動端末装置１０１においては、転送されるコンテンツ情報が再生部１１６にて再生される。
【００４８】
こうすることで、ホームサーバ装置１０６が転送先である移動端末装置１０１又は家庭用電化装置などにコンテンツ情報を転送するので、コンテンツ情報の共有化をよりリアルタイムで行うことができる。
【００４９】
また本実施の形態によれば、ホームサーバ装置１０６においては、移動端末装置１０１からのコンテンツ情報を記憶部１５３に一旦記憶し、転送先の移動端末装置１０１又は家庭用電化装置などから転送許可信号を受け取るとき、すなわち転送先の移動端末装置１０１などから転送を許可されるときに、制御部１５４のコンテンツ送信制御部１７０は記憶部１５３に記憶するコンテンツ情報を転送先の移動端末装置１０１などに転送する。
【００５０】
こうすることで、ホームサーバ装置１０６は転送先から転送を許可されるときにコンテンツ情報の転送をするので、転送の確実性が向上するとともに無駄な転送が防止されシステム全体のトラヒックの増加を防止することができる。
【００５１】
さらに本実施の形態によれば、データ処理部１５２にて、転送するコンテンツ情報にデータ形式の変換などの加工が施され、加工後のコンテンツ情報が転送先の移動端末装置１０１などに転送される。
【００５２】
こうすることで、転送先の装置の種類などに応じた最適のパラメータを準備しておけば、各送信先の装置に対して最適のデータ形式などに加工されたコンテンツ情報を送達することができる。
【産業上の利用可能性】
【００５３】
本発明は、マルチメディアコンテンツの共有化をよりリアルタイムで行うことができる情報通信システム、およびホームサーバ装置として有用である。
【図面の簡単な説明】
【００５４】
【図１】本発明の一実施の形態に係る情報通信システムの構成図
【図２】図１の移動端末装置の基本構成を示すブロック図
【図３】図１のホームサーバ装置の基本構成を示すブロック図
【図４】図１の移動端末装置の構成の詳細を示すブロック図
【図５】図１の移動端末装置において用いられるプロトコルスタックの一例を示す図
【図６】図１のホームサーバ装置の構成の詳細を示すブロック図
【符号の説明】
【００５５】
１０  情報通信システム
１０１  移動端末装置
１０２  基地局装置
１０３  公衆無線ネットワークシステム
１０４  インターネットシステム
１０５  ホームゲートウェイ装置
１０６  ホームサーバ装置
１０７  ホーム無線基地局装置
１０８  テレビ
１１１  コンテンツ情報生成部
１１２  送受信制御部
１１３、１５３  記憶部
１１４、１５１  送受信部
１１５  応答制御部
１１６  再生部
１１７  表示部
１１８  撮像部
１２１  ファイル処理部
１２２  エンコード／デコード部
１２５  送信先設定部
１２６  スイッチング／データ処理部
１２７  無線接続管理部
１２８  宅外アクセス制御部
１２９  端末情報管理部
１３０  公衆無線インタフェース部
１３１  ホーム無線インタフェース部
１５２  データ処理部
１５４  制御部
１６１  データ処置部
１６２  ファイル処理部
１６３  コンテンツ変換部
１６５  リンク確立制御部
１６６  端末接続制御部
１６７  端末情報管理部
１６８  端末検出管理部
１７０  コンテンツ送信制御部
１７１  転送許可不許可信号受信部
１７２  送信先制御部
１７３  コンテンツパラメータ制御部
【図１】
2006053673.tif 000003
【図２】
2006053673.tif 000004
【図３】
2006053673.tif 000005
【図４】
2006053673.tif 000006
【図５】
2006053673.tif 000007
【図６】
2006053673.tif 000008